(57)【要約】      （修正有）【課題】携帯に便利で、振り方により２種類の叩打音を発生させることができ、且つ、強く振っても手から離れて飛び出さないスポーツ観戦用のメガホンを提供する。【解決手段】メガホン本体２を厚紙で截頭六角錐のラッパ状に形成する。メガホン本体内に厚紙で形成した縦長四角台形の短冊片４を、メガホン本体の小径口寄りの一内側面に一端を固定した第１の紐３により繋り下げた状態で取り付ける。メガホン本体の小径口縁部２ａにはループ状の第２の紐５を取り付ける。【選択図】図１
0003162058.tif 000002
【実用新案登録請求の範囲】
【請求項１】
拡声器としての用途に加え、手で振って叩打音を発生させることもできるメガホンであって、
メガホン本体は厚紙で截頭六角錐のラッパ状に形成されており、
前記メガホン本体内には厚紙で形成した縦長四角台形の短冊片が、前記メガホン本体の小径口寄りの一内側面に一端を固定した第１の紐に繋がれた状態で取り付けられており、
前記メガホン本体の小径口縁部にはループ状の第２の紐が取り付けられていることを特徴とするメガホン。
【請求項２】
請求項１に記載のメガホンにおいて、前記第１の紐と第２の紐とは連続した１本の紐で構成され、該１本の紐の一端は前記短冊片の台形上部に繋がれ、他端は前記メガホン本体の小径口縁部に固定され、中間部は前記他端との間でループを形成し、且つ、前記メガホン本体をその小径口側を上にして垂直にした場合には前記短冊片がメガホン本体の小径口寄りの一内側面から繋り下がる状態になるようにしてメガホン本体の内側面に固定されていることを特徴とするメガホン。
【請求項３】
請求項１又は２に記載のメガホンにおいて、前記短冊片は前記截頭六角錐形状メガホンの一側面よりも小さい形状に形成してあることを特徴とするメガホン。
【考案の詳細な説明】
【技術分野】
【０００１】
本考案は、携帯に便利で、野球やサッカー等の応援の際には応援効果を高めるための叩打音の発生にも使用できるスポーツ観戦用のメガホンに関する。
【背景技術】
【０００２】
野球やサッカー等のスポーツ観戦における応援では応援効果を高めるためにメガホンがよく使用される。メガホンは本来的には応援者の声を遠くまで届かせるものであるが、応援では他方の手のひらやひざに打ち付けて応援効果を高める叩打音の発生にも用いられる。こうした用い方を考慮して、打ちつけるのではなく単に振るだけで叩打音を発生させることのできるメガホンが各種提案されている。
【０００３】
例えば、特許文献１には、半円錐形状に形成した２個のメガホン本体を１点にてピン等の連結具にて開閉自在に連結させたことを特徴とするＶメガホンが開示されている。このＶメガホンの場合は２個の半円錐状のメガホンを指先で開閉させて叩打音を発生させる。また、特許文献２には、拡声部の壁面にその長手方向へスリットを設けたことを特徴とする応援用メガホンが開示されている。このメガホンの場合は、手で拡声部の壁面を打撃すると、その勢いによってスリットの両縁部が互いに打ち合って叩打音が発生する。
【０００４】
更に、特許文献３には、メガホン本体の小径部側に設けた把持部内に一端側がメガホン本体内に突出する中空形状の保持部材を嵌着し、かつメガホン本体内に中心軸とほぼ一致するよう設けた弾性を有する揺動杆の一端を保持部材の一端に保持すると共に、揺動杆の他端側に揺動杆の揺動に伴いメガホン本体の内周面を打撃する打撃子を設けたメガホンが開示されている。このメガホンの場合は、把持部を手でもって振ると揺動杆の端に取り付けた打撃子が内面を叩くことで叩打音が発生する。
【０００５】
しかし、これらのメガホンはプラスチックや厚紙でラッパ状に形成されているため、折り畳むことができない。そのため嵩張り、持ち運びに不便である。また、発生する叩打音は１種類にすぎず、強い音を発生させようとして強く振った場合にはメガホンが遠心力で手から離れて飛びだす危険もある。
【先行技術文献】
【特許文献】
【０００６】
【特許文献１】実開昭６３−２４６００号公報
【特許文献２】特開２００４−２８００３７号公報
【特許文献３】特開２００２−２５８８６７号公報
【考案の開示】
【考案が解決しようとする課題】
【０００７】
本考案は、従来技術のこうした問題点を解決するためになされたもので、その課題は、携帯に便利で、振り方により２種類の叩打音を発生させることができ、且つ、興奮して強く振っても手から離れて飛び出すことのないスポーツ観戦用メガホンを提供することにある。
【課題を解決するための手段】
【０００８】
前記課題を解決するための請求項１に記載の考案は、拡声器としての用途に加え、手で振って叩打音を発生させることもできるメガホンであって、メガホン本体は厚紙で截頭六角錐のラッパ状に形成されており、メガホン本体内には厚紙で形成した縦長四角台形の短冊片が、メガホン本体の小径口寄りの一内側面に一端を固定した第１の紐に繋がれた状態で取り付けられており、メガホン本体の小径口縁部にはループ状の第２の紐が取り付けられていることを特徴とするメガホンである。
【０００９】
このような構成のメガホンは、上下、左右方向に振るとメガホン本体内に吊るした短冊片がメガホン本体の内壁面に衝突して２種類の叩打音が発生する。また、折り畳めば平板状になるため嵩張らず、持ち運びに便利である。更に、小径口縁部にはループ状の紐が取り付けてあるので、その中に手首を通した状態で振ることによりメガホンの前方への飛び出しも防止できる。こうしたことからスポーツ応援用のメガホンとして好適である。
【００１０】
また、請求項２に記載の考案は、請求項１に記載のメガホンにおいて、第１の紐と第２の紐とは連続した１本の紐で構成され、該１本の紐の一端は短冊片の台形上部に繋がれ、他端はメガホン本体の小径口縁部に固定され、中間部は他端との間でループを形成し、且つ、メガホン本体をその小径口側を上にして垂直にした場合には短冊片がメガホン本体の小径口寄りの一内側面から繋り下がる状態になるようにしてメガホン本体の内側面に固定されていることを特徴とするメガホンである。
【００１１】
このような構成によれば短冊片がメガホン本体の外にはみ出さない。また、ループの形成と短冊片吊り下げとを１本の紐で構成できるため組立が容易になる。
【００１２】
また、請求項３に記載の考案は、請求項１又は２に記載のメガホンにおいて、短冊片は截頭六角錐形状メガホンの一側面よりも小さい形状に形成してあることを特徴とするメガホンである。
【００１３】
短冊片をこのような形状にしておけば、メガホンを左右に振った場合には短冊片の表裏面が、上下に振った場合には短冊片の長手側面がメガホン本体の内側面に衝突して２種類の異なる音色の叩打音が発生する。
【図面の簡単な説明】
【００１４】
【図１】本考案に係るメガホン１の外観斜視図である。
【図２】メガホン１の本体部分の展開図である。
【図３】メガホン１の組立を説明する展開図である。
【図４】メガホン１を水平方向を少し押しつぶして変形させた斜視図である。
【図５】叩打音を発生させるときのメガホン１の持ち方を説明する図である。
【図６】メガホン１の先端側を上下、左右方向に振った場合の短冊片の動きを説明する図である。
【図７】メガホン１を折り畳んだ状態の正面図と側面図である。
【考案を実施するための形態】
【００１５】
以下、本考案に係るメガホンの一実施形態について図面を参照して説明する。図１は、本考案に係るメガホン１の外観斜視図、図２、図３はその展開図である。メガホン１は、図１に示すように截頭六角錐のラッパ状に形成されたメガホン本体２と、そのメガホン本体２内に第１の紐３に繋いで取り付けられた短冊片４と、メガホン本体２の小径口縁部２ａに取り付けられたループ状の第２の紐５とから構成されている。
【００１６】
メガホン本体２は、図２に示すような扇状の厚紙７を折り曲げ、扇の展開方向一辺縁に設けた糊代片７ａを反対側の辺縁に接着して截頭六角錐のラッパ状に形成したものである。図２では折り曲げ線を破線で、切り目線を実線で表してある。メガホン本体２の小径口縁部２ａを形成する厚紙７の手元側辺縁には、截頭六角錐の各側面となる部分を延長した短い折り返し片７ｂが形成してある。この短い折り返し片７ｂを、図３に示すように截頭六角錐の内側となる面に折り返して二枚重ねに接着し、小径口縁部２ａの強度を高めてある。
【００１７】
この６個の短い折り返し片７ｂの内の一つ７ｃは、折り返し長さが他より長く、且つ、折り目部分に小さい孔７ｄが形成してある。その小さい孔７ｄに前記第２の紐５を通し、第２の紐５の中間部を長い折り返し片７ｃとメガホン本体２の側面との間に挟んだ状態で図３に示すように接着固定してある。このように固定された第２の紐５の手元側の端部は、接着された短い折り返し片７ｂに孔７ｅを設けて固定し、長い折り返し片７ｃとの間に第２の紐５によるループが形成してある。
【００１８】
また、固定された第２の紐５の他端側の端には、厚紙で形成した縦長四角台形の短冊片４が繋がれている。短冊片４はメガホン本体２の縦長四角台形をした一側面よりも小さい形状に形成してある。短冊片４は、それに繋がれた第２の紐５が伸びきった状態でも短冊片４の端部がメガホン本体２からはみ出さないように、その縦長方向長さと第１の紐３の長さが調整してある。従って、図１に示した組立後のメガホン１は小径口縁部２ａを上にして垂直に立てると、短冊片４がメガホン本体２からはみ出すことなく小径口縁部２ａ寄りの一内側面から繋り下げられた状態になる。図３の状態に接着、固定を行なった後、扇状の厚紙７を截頭六角錐のラッパ状に折り曲げ、糊代片７ａを反対側の辺縁に接着すると図１に示すメガホン１が完成する。
【００１９】
次に、このメガホン１の使用法とその効果について説明する。メガホン１は、その小径口部に口にあてて発声することにより声を遠くまで届かせる拡声器として使用できることはいうまでもない。
【００２０】
また、このメガホン１は２種類の叩打音を発生させることができる。即ち、メガホン本体２は厚紙７を截頭六角錐のラッパ状に形成したものであるので、手で図４に示すように水平方向を少し押しつぶした形状に容易に変形させることができる。このように変形させたメガホン１を図５に示すように片手で持って振る。図６の（１）は、メガホン１の先端側が上下するように振った場合の大径口側から見た側面図である。上下に素早く振ると、メガホン本体２内に繋がれた短冊片４は上下に激しく移動し、辺部がメガホン本体２の内側角部に衝突する。その際、「カタカタ」という甲高い叩打音が発生する。
【００２１】
一方、図６の（２）に示すように左右方向に振ると、短冊片４がメガホン本体２内の下部で左右へ傾倒を繰り返し、短冊片４の表裏面がメガホン本体２の内側面に衝突して「カラコロ」という小さめの叩打音が発生する。このような叩打音は応援効果を高める効果がある。
【００２２】
メガホン１は截頭六角錐に形成されているので、小径口側部分を持って激しく振った場合にはメガホン１が手から離れて前方に飛び出す可能性がある。そこで図５に示すように、第２の紐５により形成されたループの中に手首を通した状態でメガホン１を握るようにする。こうすればメガホン１の前方への飛び出しを防ぐことができる。
【００２３】
また、メガホン１は図７の（１）の側面図、図７の（２）の正面図に示すように押しつぶした状態に折り畳むことができる。このように折り畳めば嵩張らないので携帯に便利である。
【符号の説明】
【００２４】
図面中、１はメガホン、２はメガホン本体、２ａは小径口縁部、３は第１の紐、４は短冊片、５は第２の紐、７は厚紙を示す。
【図１】
0003162058.tif 000003
【図２】
0003162058.tif 000004
【図３】
0003162058.tif 000005
【図４】
0003162058.tif 000006
【図５】
0003162058.tif 000007
【図６】
0003162058.tif 000008
【図７】
0003162058.tif 000009